(57)【要約】【課題】  アルカリ電解水を使用する新規なクリーナーを提案するものである。【解決手段】約ｐＨ１１．０〜約ｐＨ１２．５のアルカリ電解水と、香料と、を含み、使用時おいて周囲に香料の香りを漂わせてアロマ効果や掃除の楽しさを実現することを可能とする、アルカリ電解水クリーナーとする。本発明に係る、『香るアルカリ電解水クリーナー』を使用して掃除をすることによれば、拭き掃除等の後においてもよい香りが残り、キレイになったという感覚をより強く印象づけることで使用者の満足度を挙げることができ、ひいては、香りを楽しみながら掃除をしてもらうことができる。また、使用後の布クロスを捨てたゴミ箱から香料の香りが漂い、ゴミ箱の周囲においてもアロマ効果を得ることができる。【選択図】図２
2018039896.tif 000002
【特許請求の範囲】
【請求項１】
約ｐＨ１１．０〜約ｐＨ１２．５のアルカリ電解水と、
香料と、
を含み、
使用時おいて周囲に香料の香りを漂わせてアロマ効果や掃除の楽しさを実現することを可能とする、
アルカリ電解水クリーナー。
【請求項２】
前記香料に含まれる油分がろ過にて除去されている、
ことを特徴とする請求項１に記載のアルカリ電解水クリーナー。
【請求項３】
水を電気分解して約ｐＨ１１．０〜約ｐＨ１２．５のアルカリ電解水を生成するステップＳ１と、
アルカリ電解水と香料を混合するステップＳ２と、
を含む、アルカリ電解水クリーナーの製造方法。
【請求項４】
アルカリ電解水と香料を混合した後に、混合液中の油分をろ過するためのろ過工程のステップＳ３、
をさらに含む、ことを特徴とする請求項３に記載のアルカリ電解水クリーナーの製造方法。
【請求項５】
アルカリ電解水と香料を混合する前に、香料中の油分をろ過するためのろ過工程のステップＳ４、
をさらに含む、ことを特徴とする請求項３又は請求項４に記載のアルカリ電解水クリーナーの製造方法。
【請求項６】
水源から供給される水を電解質により連続的に電気分解し、アルカリ電解水を生成する電解水生成装置と、
液状の香料を収容する香料収容器と、
香料収容器内の前記香料を前記アルカリ電解水に対して自動、又は、手動で添加するための添加機構と、
アルカリ電解水と香料の混合液をろ過するためのろ過機構と、
を含む、アルカリ電解水クリーナー製造システム。
【請求項７】
前記添加機構は、香料の添加前のアルカリ電解水の量を流量センサにて検出し、添加する香料の添加量を任意、又は、自動的に変更可能に構成する、
ことを特徴とする請求項６に記載のアルカリ電解水クリーナー製造システム。
【請求項８】
前記香料収容器は、複数種類の香料を収容可能に構成されており、添加機構は、複数種類の香料のうちの一つを選択して、アルカリ電解水に添加可能に構成する、
または、
前記香料収容器は、複数種類の香料を収容可能に構成されており、香料収容器は、複数種類の香料のうちの一つを選択して、前記添加機構に供給可能に構成する、
ことを特徴とする請求項６又は請求項７に記載のアルカリ電解水クリーナー製造システム。
【発明の詳細な説明】
【技術分野】
【０００１】
本発明は、住宅室内のテーブル、ソファ、床、キッチンなどのクリーナーとして、多用途で使用できる電解水に関する。
【背景技術】
【０００２】
従来、例えば特許文献１に記載されるように、衣類・食器洗浄分野、住居分野等に用いる電解洗浄水について知られており、界面活性剤を添加して洗剤として用いられるものとしている。
【０００３】
また、例えば特許文献２に記載されるように、強アルカリ性電解水を主成分とし、水ガラス及びアルコールを含む電解水クリーナーも知られている。
【０００４】
また、例えば特許文献３に記載されるように、多目的クリーナーとして、芳香機能を付けた植物性洗浄剤入りのロールタイプの不織布も知られている。
【先行技術文献】
【特許文献】
【０００５】
【特許文献１】特開２００１−２７１０９８号公報
【特許文献２】実用新案登録第３１８０１４７号公報
【特許文献３】実用新案登録第３０２７２０６号公報
【発明の概要】
【発明が解決しようとする課題】
【０００６】
特許文献１に開示されるような電解洗浄水は、あくまでも洗剤としての用途であり、使用の用途が限られており、例えば、床拭きなどする場合には、界面活性剤を拭き取るなどの二度拭きが必要とされるものであった。また、キッチン周りや食器、ベビー用品、ペット用品等の拭き掃除においても、洗剤を使用したくないといったニーズが存在する。
【０００７】
また、特許文献２に開示されるような、アルコールを含む電解水クリーナーでは、人体（肌）への刺激を考慮してその使用が控えられる場合がある。また、強アルカリ性電解水による脱脂効果により、液晶画面の表面に付着した皮脂などの油分を分解して液晶画面の油分による汚れを除去することができるものの、水ガラスを含むため、その用途が液晶画面の拭き掃除に限定されるものとなる。
【０００８】
また、特許文献３に開示されるような多目的クリーナーも、植物性洗浄剤（界面活性剤）を含んでいるため、あくまでも洗剤としての機能を発揮されるものである。
【０００９】
他方、アルカリ性の電解水（アルカリ電解水）は、そのアルカリ性により、手垢、血液などの蛋白汚れ、皮脂や油煙など油汚れなどの酸性の汚れに対し効果的に利用することができ、幅広い用途が期待できるものである。また、脱臭や除菌の効果も期待できるものである。
【００１０】
そこで、アルカリ電解水をクリーナーとして利用することが考えられるが、現時点において確認されるアルカリ電解水を使用するクリーナーは無臭であり、香りを含むものは存在しない。
【００１１】
発明者は、鋭意検討の結果、香りのあるアルカリ電解水を使用するクリーナーを使用して掃除をすることによれば、拭き掃除等の後においてもよい香りが残り、キレイになったという感覚をより強く印象づけることで使用者の満足度を挙げることができ、ひいては、香りを楽しみながら掃除ができるであろうことを見出した。
【００１２】
加えて、液体スプレーとしてアルカリ電解水を使用する液体のクリーナーを実現する場合において、香料を添加することにより油分が分離して浮遊することが考えられる。この油分が浮遊する状態が見えてしまうと、消費者に疑問や不信感を与えてしまうことが懸念される。仮に、特許文献３に記載のように液体を不織布に含浸させる場合には、このような問題が生じないが、液体スプレーとしてボトルに収容するなどの場合には、もう一歩進んだ技術的な操作が必要となる。
【００１３】
以上の問題に鑑み、本発明は、アルカリ電解水を使用する新規なクリーナーを提案するものである。
【課題を解決するための手段】
【００１４】
本発明の解決しようとする課題は以上の如くであり、次にこの課題を解決するための手段を説明する。
【００１５】
即ち、約ｐＨ１１．０〜約ｐＨ１２．５のアルカリ電解水と、香料と、を含み、
使用時おいて周囲に香料の香りを漂わせてアロマ効果や掃除の楽しさを実現することを可能とする、
アルカリ電解水クリーナーとする。
【００１６】
また、前記香料に含まれる油分がろ過にて除去されていることとする。
【００１７】
また、水を電気分解して約ｐＨ１１．０〜約ｐＨ１２．５のアルカリ電解水を生成するステップＳ１と、
アルカリ電解水と香料を混合するステップＳ２と、
を含む、アルカリ電解水クリーナーの製造方法とする。
【００１８】
また、アルカリ電解水と香料を混合した後に、混合液中の油分をろ過するためのろ過工程のステップＳ３、をさらに含むこととする。
【００１９】
アルカリ電解水と香料を混合する前に、香料中の油分をろ過するためのろ過工程のステップＳ４、
をさらに含む、をさらに含むこととする。
【００２０】
また、水源から供給される水を電解質により連続的に電気分解し、アルカリ電解水を生成する電解水生成装置と、
液状の香料を収容する香料収容器と、
香料収容器内の前記香料を前記アルカリ電解水に対して自動、又は、手動で添加するための添加機構と、
アルカリ電解水と香料の混合液をろ過するためのろ過機構と、
を含む、アルカリ電解水クリーナー製造システムとする。
【００２１】
前記添加機構は、香料の添加前のアルカリ電解水の量を流量センサにて検出し、添加する香料の添加量を任意、又は、自動的に変更可能に構成する、こととする。
【００２２】
また、前記香料収容器は、複数種類の香料を収容可能に構成されており、添加機構は、複数種類の香料のうちの一つを選択して、アルカリ電解水に添加可能に構成する、
または、
前記香料収容器は、複数種類の香料を収容可能に構成されており、香料収容器は、複数種類の香料のうちの一つを選択して、前記添加機構に供給可能に構成する、こととする。
【発明の効果】
【００２３】
本発明に係る、『香るアルカリ電解水クリーナー』を使用して掃除をすることによれば、拭き掃除等の後においてもよい香りが残り、キレイになったという感覚をより強く印象づけることで使用者の満足度を挙げることができ、ひいては、香りを楽しみながら掃除をしてもらうことができる。また、使用後の布クロスを捨てたゴミ箱から香料の香りが漂い、ゴミ箱の周囲においてもアロマ効果を得ることができる。
【図面の簡単な説明】
【００２４】
【図１】アルカリ電解水クリーナーの製造方法の一例について示すフローチャート。
【図２】アルカリ電解水クリーナーの製造システムの一例について示す図。
【発明を実施するための形態】
【００２５】
以下、本発明の実施形態について詳細に説明する。
本発明は、住宅室内のテーブル、ソファ、床、キッチンなどのクリーナーとして、多用途で使用できる電解水であり、芳香を有するものである。
【００２６】
電解水としては、例えば、約ｐＨ１１．０〜約ｐＨ１２．５のアルカリ性の電解水（アルカリ電解水、アルカリイオン電解水、アルカリ性電解水などとも言う）を使用することができる。このようなｐＨの範囲のアルカリ電解水は、水だけでは落ちにくいタンパク質、油脂などの有機物を溶解・乳化することができる。アルカリ電解水は、例えば、電解水生成装置により炭酸カリウムや、炭酸カルシウムなどを用いて生成することができる。
【００２７】
アルカリ電解水には香料（液体、固体を問わず、また、天然、合成を問わない）が添加され、香り付けがされる。香料としては特に限定されるものではないが、アルカリ電解水と混合された後において、所望のアルカリ性（約ｐＨ１１．０〜約ｐＨ１２．５）を呈する香料が選択される。
【００２８】
芳香の種類は、特に限定されるものではないが、一般の消費者に受け入れられやすいものもが好ましい。例えば、グレープフルーツ、ラベンダー、ローズ（薔薇）、ローズウッド（シタン）、レモン、オレンジ、葡萄などの香りとすることができる。
【００２９】
また、アルカリ電解水は水であるため、香料の親水性が低い（水に溶解しにくい、水と混ざりにくい）場合には、香料がアルカリ電解水と分離して水面に浮く、或いは、沈殿することが考えられる。主に、香料の油分がアルカリ電解水と分離することが考えられる。
【００３０】
このような場合には、ろ紙などのろ過フィルタを用いたろ過処理を行うことで、香料の親水性の低い成分（油分など）を取り除くことができ、アルカリ電解水と香料の分離が目立たない、或いは、完全に分離しない状態を実現することができる。
【００３１】
また、適切なろ過処理を行うことで、クリーニングの対象物に拭きつけて使用した場合においても、香料の油分などが原因となってべた付いてしまうことがなく、二度拭きの手間も発生も抑えることができる。また、アルカリ電解水と香料が分離することで、一般の消費者に視覚的に違和感を与えてしまう、即ち、例えば、『不純物が混入している』などといった余計な疑いを持たせてしまうことを防ぐことができる。
【００３２】
また、ろ過処理を行った場合でも、一定の芳香を呈することができることが確認できている。従って、香料の組成に応じて、ろ過の回数や、フィルタの仕様など、ろ過処理を適宜選定することができる。
【００３３】
ここで、芳香を有する電解水が存在しない状況において、電解水と香料を混合する場合に両者が分離される現象が生じることを見出し、この現象を解決すべき課題（問題点）として着目し、解決策としてろ過処理を採用することに想到したことが重要である。即ち、出願時に存在しない商品（製品）に想到すること自体が当業者が容易に想到できるものであって、さらに、その商品（製品）を実施するうえでの課題を設定し解決策を見出すことは当然に当業者が容易に想到できるものではないことは重要である。
【００３４】
なお、ろ過工程の具体的な方法としては、紙フィルタ、中空糸膜、などの各種フィルタが用いることができ、特に、油分の除去に好適なものを採用することが好ましい。また、香料の香りを残すため、脱臭作用のない、或いは、少ないフィルタを用いることが好適である。
【００３５】
＜実施例１＞
（Ａ）アルカリ電解水
・電解水生成装置：Ｕ−１５Ｒ（蔵王産業株式会社製）
・電解質：炭酸カリウム
・原水：水道水（東京都足立区花畑４）
・生成したアルカリ電解水：ｐＨ１２．５
（Ｂ）香料
・香料：ラベンダーオイル（山桂産業株式会社：（商品コード：４２６）合成香料）
（http://yamakei.b-smile.jp/products/detail.php?product_id=426）
・香り：ラベンダーの香り
（Ｃ）ろ過方法
・ろ紙（カナエ工業株式会社社：家庭用コーヒードリップ用紙フィルタ）を用いたろ過
【００３６】
（Ｄ）生成方法
電解水生成装置にて生成された上記（Ａ）のアルカリ電解水５００ｍｌを開放容器に入れ、上記（Ｂ）の香料１５ｍｌを前記アルカリ電解水に添加し、攪拌棒を用い手動で３０秒間攪拌する。
次いで、上記（Ｃ）のろ紙を二重にしたものに通すろ過を３回繰り返し、透過した液を生成物（アルカリ電解水クリーナー）とする。
【００３７】
（Ｅ）アルカリ電解水クリーナー
・強アルカリ性（リトマス試験紙にて確認）
・色  ：透明（略無色）
・香り：ラベンダーの香りが充分に確認することができた。スプレー噴霧した際には、より香りが顕著に確認された。
・外観：上記（Ｄ）の攪拌後、数時間放置した後でも、アルカリ電解水と分離して浮遊する油分や、沈殿する油分は目視では確認できなかった。
・粘性：手指で触ったときに、強アルカリ電解水特有のヌメリ感は抑えられ、略水と同等と思われるサラサラ感を得るものとなった。
【００３８】
＜実施例２＞
上記（Ｄ）におけるろ過の処理をせず、アルカリ電解水に香料を添加して攪拌のみ行ったものを、アルカリ電解水クリーナーとした。
上記（Ｄ）における攪拌終了後、３０分放置した際に、数ミリ径の玉状の油分が浮遊するのが確認された。
【００３９】
＜比較例１＞
上記（Ｂ）香料を添加しないアルカリ電解水そのもの。
【００４０】
＜比較例２＞
上記（Ａ）で述べた水道水（原水）そのもの。
【００４１】
スプレー容器に入れた上記実施例１,２、比較例１、２の液体を、リビングのフローリングカーペット（樹脂製シート）に直接数回噴霧し、白色の綿の布クロスで拭き掃除を行った。
【００４２】
・クリーニング性能について
比較例２の水道水をスプレーした箇所を数回拭く（擦るように拭き取る）と、布クロスに汚れが移り、うっすらと灰色になった。
他方、実施例１,２、比較例１のクリーナーをスプレーして同様に数回拭く（擦るように拭き取る）と、比較例２の場合と比較して、布クロスの色が明らかに黒色になり、より多くの汚れが布クロスに移った。これは、アルカリ電解水のアルカリ性により、フローリングカーペットに付着した油汚れ（皮脂）などがフローリングカーペット表面から分離して、汚れが落とされたことを意味するものである。
【００４３】
また、実施例１は、実施例２と比較すると、ろ過による油分の除去がなされているため、手にスプレーして両手で擦った感覚では、より水に近いサラサラ感が感じられた。
【００４４】
実施例１のクリーナーを、キッチンの換気扇フード（ステンレス）の表面に直接数回噴霧し、白色の綿の布クロスでふき取りを行った。堆積した油汚れがステンレス表面から剥離し、布クロスにて油汚れをキレイに拭き取ることができた。比較例２と比較して、明らかにキレイにすることができた。
【００４５】
・香り効果（アロマ効果）について
実施例１,２では、いずれも作業中においてラベンダーの香りを感じ取ることができ、嗅覚にてクリーナーの存在をより意識することができ、フローリングがキレイになったというより高い満足感を得ることができた（掃除の楽しさの効果）。また、周囲によい香りを残すことができ、室内を香らせるというアロマ効果も得ることができた（残り香）。
【００４６】
さらに、フローリングカーペットを拭き掃除した布クロスをゴミ箱に入れて放置したところ、ゴミ箱からラベンダーオイルの香りが漂い、ゴミ箱の周囲においてもアロマ効果を得ることができた（残り香）。
【００４７】
以上の各例をまとめたものを以下の表１に記載する。
＜表１＞
2018039896.tif 000003
【００４８】
以上のようにして、本願発明に係る『香るアルカリ電解水クリーナー』を実施することができる。
即ち、約ｐＨ１１．０〜約ｐＨ１２．５のアルカリ電解水と、香料と、を含んでなるアルカリ電解水クリーナーとするものである。
【００４９】
このように、香りのあるアルカリ電解水（アルカリ性電解水）を使用するクリーナーを使用して掃除をすることによれば、拭き掃除等の後においてもよい香りが残り、キレイになったという感覚をより強く印象づけることで使用者の満足度を挙げることができ、ひいては、香りを楽しみながら掃除ができる。
【００５０】
香料に含まれる油分がろ過にて除去されている、ことを特徴とするアルカリ電解水クリーナーとするものである。
【００５１】
これにより、生成されたアルカリ電解水クリーナー中に油分が玉状になって浮遊することや、沈殿することを防止することができる。
【００５２】
図１は、本願発明に係る『香るアルカリ電解水クリーナー』の製造方法の一例であり、
水を電気分解して約ｐＨ１１．０〜約ｐＨ１２．５のアルカリ電解水を生成するステップＳ１と、
アルカリ電解水と香料を混合するステップＳ２と、
を含む、アルカリ電解水クリーナーの製造方法とするものである。
【００５３】
また、アルカリ電解水と香料を混合した後に、混合液中の油分をろ過するためのろ過工程のステップＳ３、
をさらに有することとするものである。
【００５４】
また、ろ過工程は、混合液を生成した容器の抽出口に備えるフィルタを通すことで行うこととするものである。これにより、連続的にアルカリ電解水クリーナーを製造することができる。
【００５５】
また、アルカリ電解水と香料を混合する前に、香料中の油分をろ過するためのろ過工程のステップＳ４、をさらに有することとするものである。これによれば、アルカリ電解水と混合した後にろ過をする場合と比較してろ過対象の液体量を少なくすることができ、ろ過された香料を予め準備しておくことによれば、より短時間で大量のアルカリ電解水クリーナーを製造することができる。
【００５６】
なお、ステップＳ３,Ｓ４は、いずれか一つを実施してもよく、また両方を実施してもよい。
【００５７】
また、図２は、アルカリ電解水クリーナーを製造するシステムの例であり、
水源１から供給される水を電解質により連続的に電気分解し、アルカリ電解水を生成する電解水生成装置２と、
液状の香料を収容する香料収容器３と、
香料収容器３内の前記香料を前記アルカリ電解水に対して自動、又は、手動で添加するための添加機構４（手動バルブ／自動制御バルブなど）と、
アルカリ電解水と香料の混合液をろ過するためのろ過機構５と、
を含む、アルカリ電解水クリーナー製造システムとするものである。
【００５８】
また、前記添加機構４は、香料の添加前のアルカリ電解水の量を流量センサ６にて検出し、添加する香料の添加量を任意、又は、自動的に変更可能に構成することもできる。これにより、香りの強弱を調整することや、一定に保つなどの設定が可能となる。
【００５９】
また、前記香料収容器３は、複数種類の香料を収容可能に構成されており、添加機構４は、複数種類の香料のうちの一つを選択して、アルカリ電解水に添加可能に構成する、
または、前記香料収容器３は、複数種類の香料を収容可能に構成されており、香料収容器３は、複数種類の香料のうちの一つを選択して、前記添加機構４に供給可能に構成する、
こともできる。
これにより、一つのシステム（装置）により、異なる種類の香料を添加したアルカリ電解水クリーナーを生成することができる。
【００６０】
また、前記ろ過機構は、ろ紙、膜などのフィルタを有し、前記フィルタを通過する液量に基づいてフィルタの交換時期を算出する算出機構を備え、所定の交換時期となった際に、フィルタの交換を知らせるための交換時期認知機能、及び／又は、フィルタを自動交換する自動交換機構を備えることとしてもよい。
【００６１】
以上の各種装置は、別体で構成してもよいし、一つの装置にユニットとして組み込むこともできる。例えば、主要な装置となる電解水生成装置に対し、香料収容器など追加的に設ける構成とすることもできる。
【符号の説明】
【００６２】
１    水源
２    電解水生成装置
３    香料収容器
４    添加機構
５    ろ過機構
６    流量センサ
【図１】
2018039896.tif 000004
【図２】
2018039896.tif 000005
【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
アルカリ電解水と、
香料と、
を含み、
使用時おいて周囲に香料の香りを漂わせてアロマ効果や掃除の楽しさを実現することを可能とする、
アルカリ電解水クリーナー。
【請求項２】
前記香料に含まれる油分がろ過にて除去されている、
ことを特徴とする請求項１に記載のアルカリ電解水クリーナー。
【請求項３】
アルカリ電解水を生成するステップＳ１と、
アルカリ電解水と香料を混合するステップＳ２と、
を含む、アルカリ電解水クリーナーの製造方法。
【請求項４】
アルカリ電解水と香料を混合した後に、混合液中の油分をろ過するためのろ過工程のステップＳ３、
をさらに含む、ことを特徴とする請求項３に記載のアルカリ電解水クリーナーの製造方法。
【請求項５】
アルカリ電解水と香料を混合する前に、香料中の油分をろ過するためのろ過工程のステップＳ４、
をさらに含む、ことを特徴とする請求項３又は請求項４に記載のアルカリ電解水クリーナーの製造方法。
【請求項６】
水源から供給される水を電解質により連続的に電気分解し、アルカリ電解水を生成する電解水生成装置と、
液状の香料を収容する香料収容器と、
香料収容器内の前記香料を前記アルカリ電解水に対して自動、又は、手動で添加するための添加機構と、
アルカリ電解水と香料の混合液をろ過するためのろ過機構と、
を含む、アルカリ電解水クリーナー製造システム。
【請求項７】
前記添加機構は、香料の添加前のアルカリ電解水の量を流量センサにて検出し、添加する香料の添加量を任意、又は、自動的に変更可能に構成する、
ことを特徴とする請求項６に記載のアルカリ電解水クリーナー製造システム。
【請求項８】
前記香料収容器は、複数種類の香料を収容可能に構成されており、添加機構は、複数種類の香料のうちの一つを選択して、アルカリ電解水に添加可能に構成する、
または、
前記香料収容器は、複数種類の香料を収容可能に構成されており、香料収容器は、複数種類の香料のうちの一つを選択して、前記添加機構に供給可能に構成する、
ことを特徴とする請求項６又は請求項７に記載のアルカリ電解水クリーナー製造システム。
【手続補正書】
【提出日】平成28年12月15日(2016.12.15)
【手続補正１】
【補正対象書類名】特許請求の範囲
【補正対象項目名】全文
【補正方法】変更
【補正の内容】
【特許請求の範囲】
【請求項１】
アルカリ電解水を生成するステップＳ１と、
アルカリ電解水と香料を混合するステップＳ２と、
アルカリ電解水と香料を混合した後に、混合液中の油分をろ過するためのろ過工程のステップＳ３と、
を含む、アルカリ電解水クリーナーの製造方法。
【請求項２】
水源から供給される水を電解質により連続的に電気分解し、アルカリ電解水を生成する電解水生成装置と、
液状の香料を収容する香料収容器と、
香料収容器内の前記香料を前記アルカリ電解水に対して自動、又は、手動で添加するための添加機構と、
アルカリ電解水と香料の混合液をろ過するためのろ過機構と、
を含む、アルカリ電解水クリーナー製造システム。
【請求項３】
前記添加機構は、香料の添加前のアルカリ電解水の量を流量センサにて検出し、添加する香料の添加量を任意、又は、自動的に変更可能に構成する、
ことを特徴とする請求項２に記載のアルカリ電解水クリーナー製造システム。
【請求項４】
前記香料収容器は、複数種類の香料を収容可能に構成されており、添加機構は、複数種類の香料のうちの一つを選択して、アルカリ電解水に添加可能に構成する、
または、
前記香料収容器は、複数種類の香料を収容可能に構成されており、香料収容器は、複数種類の香料のうちの一つを選択して、前記添加機構に供給可能に構成する、
ことを特徴とする請求項２又は請求項３に記載のアルカリ電解水クリーナー製造システム。